【事件の表示】
　上記当事者間の特許第４０１２９４４号発明「ロールアイロナ」の特許無効審判事件について、次のとおり審決する。
【結　論】
　特許第４０１２９４４号の請求項１ないし５に係る発明についての特許を無効とする。
　審判費用は、被請求人の負担とする。
【理　由】
１．手続の経緯・本件発明
　特許第４０１２９４４号に係る出願の経緯概要は、以下のとおりである。　　　
平成　８年１０月１８日　特許出願（特願平８−２７５６４１号）。
平成１９年　９月２１日　特許設定登録（請求項の数：８）。
平成２１年　５月２０日　無効審判請求。
平成２１年　８月１１日　答弁書。
平成２２年　２月　２日　第１回口頭審理。
　　　　　　　　　　　　口頭審理陳述要領書（請求人、被請求人）。
平成２２年　２月１６日　上申書（請求人）。
平成２２年　３月　２日　上申書（被請求人）。
　　　　　
　そして、その請求項１ないし５に係る発明は、特許明細書及び図面の記載からみて、その特許請求の範囲の請求項１〜５に記載された次の事項により特定されるものである（以下「本件発明１」〜「本件発明５」という。）。　　
「【請求項１】　発熱体を収納した曲面を有する複数の加熱装置と、この加熱装置の曲面に被洗物を圧接しながら回転送りする回転ローラとを適宜間隔をあけて複数組設置し、これら加熱装置と回転ローラ間に被洗物を投入し圧接しながら回転送りすることにより該被洗物を乾燥、プレスするロールアイロナにおいて、各回転ローラからの被洗物受け渡し部の上部に設けられ、エアの吹き出しにより被洗物を前記回転ローラから剥がすエアノズルと、前記加熱装置間に設置され、エアの吸引力により前記回転ローラより被洗物を受け取り次の前記回転ローラに受け渡すサクションベルトを有する吸引ベルトユニットとを具備し、前記エアノズルは、前記回転ローラから前記吸引ベルトユニットへの被洗物乗り移り部において前記回転ローラのロール面に接する接線方向に向けてエアを吹き出すように配置されていることを特徴とするロールアイロナ。
【請求項２】　発熱体を収納した曲面を有する複数の加熱装置と、この加熱装置の曲面に被洗物を圧接しながら回転送りする回転ローラとを適宜間隔をあけて複数組設置し、これら加熱装置と回転ローラ間に被洗物を投入し圧接しながら回転送りすることにより該被洗物を乾燥、プレスするロールアイロナにおいて、各回転ローラからの被洗物受け渡し部の上部に設けられ、エアの吹き出しにより被洗物を前記回転ローラから剥がすエアノズルと、前記加熱装置間に設置され、エアの吸引力により前記回転ローラより被洗物を受け取り次の前記回転ローラに受け渡すサクションベルトを有する吸引ベルトユニットとを具備し、前記エアノズルは、前記回転ローラから前記吸引ベルトユニットへの被洗物乗り移り部において前記回転ローラのロール面に上方から下方に向けてエアを吹き出すように配置されていることを特徴とするロールアイロナ。
【請求項３】　請求項１又は２記載のロールアイロナにおいて、前記エアノズルから吹き出されるエアを前記回転ローラと当該回転ローラ上の被洗物との間へと導く導風板を有することを特徴とするロールアイロナ。
【請求項４】　請求項１又は２記載のロールアイロナにおいて、前記吸引ベルトユニットは、上面部に多数の小孔を形成したサクションボックス、同サクションボックス上面を前記回転ローラの周速と略同速度で走行する多孔サクションベルト、サクションボックス内の空気を排気する排気手段とを具備することを特徴とするロールアイロナ。
【請求項５】　請求項４記載のロールアイロナにおいて、更に、前記サクションベルト上の被洗物送り方向に斜めにエアを吹き出すエアノズルを具備することを特徴とするロールアイロナ。」
　　　
２．当事者の主張
（１）請求人の主張
　請求人は、本件発明１〜５は、甲第１〜９号証に記載された発明に基づいて、当業者が容易に発明をすることができたものであるから、その特許は、特許法第２９条第２項の規定に違反してなされたものであり、無効である旨主張し、以下の証拠を提出している。
　さらに、平成２２年　２月１６日付けの上申書において、以下の文献１〜７、及び物件２を提示した。
　　　
　［証拠方法］
甲第１号証：特開平８−１０７９９５号公報
甲第２号証：実願昭５９−１６５８６８号（実開昭６１−８２５９８号）の　　　　　　マイクロフィルム。
甲第３号証：英国特許出願公開第８０５３３９号明細書。
甲第４号証：米国特許第２３５２２２０号明細書。
甲第５号証：特開昭５２−２０８３９号公報。
甲第６号証：英国特許出願公開２１０６１４７号明細書。
甲第７号証：米国特許第１９６８２３３号明細書。
甲第８号証：実願昭６３−１１３３７７号（実開平２−３７０９８号）のマ　　　　　　イクロフィルム。
甲第９号証：実公平３−３３３５５号公報。
　　　　　　
　文献１：実開昭６３−１７７４９９号公報
　文献２：特開昭６３−４９２００号公報
　文献３：実開昭６２−１３０６００号公報
　文献４：特開平７−３２８２９４号公報
　文献５：特開平４−５１９９８号公報
　文献６：特開昭６４−６２１９９号公報
　文献７：実開平２−５５８９８号公報
　物件２：（財）日本規格協会、「ＪＩＳ工業用語大辞典【第４版】」、（　　　　　　財）日本規格協会、１９９５年１１月２０日、１０６３頁，１　　　　　３２７頁。
　　　
（２）被請求人の主張
　被請求人は、請求人の主張は、理由がない旨の主張をし、また、文献１〜７は、ロールアイロナに関するものではなく、エアの吸引を利用してロール間で被洗物を受け渡すことを開示するものではない旨主張するとともに、物件２の証拠提出は、不適切である旨の主張をしている。
　　　
３．甲各号証
　甲第１〜９号証には、以下の事項が記載されている。
　　
ａ　甲第１号証
　甲第１号証には、図面とともに以下の事項が記載されている。
　　　
ア「【産業上の利用分野】本発明は洗濯して脱水した被洗物をプレスしながら乾燥させるロールアイロナーに関するものである。」（段落【０００１】）
　　　
イ「【発明が解決しようとする課題】前記従来のロールアイロナーでは、被洗物の通過路を規制するものとして、回転ローラの中間位置それぞれに周面部に小孔を多数形成した円筒状の回転体を配設しており、この回転体に吸引排気を行うブロワーを接続したものは、形状が複雑となるため機械の価格が高くなる欠点があった。また薄い被洗物を処理するとき、前記図７の場合は、ロール４３とギャッププレート４４の間の固定部と、回転部との隙間に起因するスジが入ることがあり、場合によっては発熱体とロール４２の間に被洗物が挟まれる虞れがあり、被洗物の仕上がり品質の低下が問題となる場合があった。更に吸引部が多いためブロワーの容量が過大であり、また吸引が局部的になり被洗物に皺等の悪い影響を与える欠点があった。本発明は前記従来の欠点を解消しようとするもので、薄い被洗物であっても皺やスジが入ることはなく、製作コストも安く、かつ吸引ブロワーの容量負荷を節約できるロールアイロナーを提供しようとするものである。」（段落【０００９】）
　　　
ウ「【実施例】以下本発明を図面の実施例について説明すると、図１〜図４は本発明の実施例を示す。先ず図１について説明すると、回転ローラ１１ａ〜１１ｂや加熱装置１３などの主構成部は従来例の図５に示したものと同様であるので、同一部分には同一符号を付してその説明を省略する。ここで被洗物１７が導入コンベア１４から導出コンベア３３まで送られる送行工程について説明すると、導入コンベア１４によって送り込まれた被洗物１７は、回転ローラ１１ａによって加熱装置１６ａの加熱面上を加圧されながら送られる。駆動モータ１２はプーリーー２７、Ｖベルト２９ａ、プーリーー２８ａを介して回転ローラ１１ａを支える１対のアーム２５ａの軸２６ａを駆動回転する。ただし軸２６ａは回転ローラ１１ａの両側に同一軸線上に一対設けられ、外部の固定部材に回転自在に支えられているが、モータ１２により駆動されるのは、どちらか片側だけでよい。また回転ローラ１１ａは軸２６ａを中心軸として上下に回動可能であり（２点鎖線で示した１１ａ’のように）、回転ローラ１１ａ自身の重量、或いは負荷用シリンダにより、走行中の被洗物１７を加圧することができる。アーム２５ａは減速装置を内蔵し（減速装置を内蔵するのは片側のアーム２５ａのみでよい）、軸２６ａの回転を減速して回転ローラ１１ａに伝達し、回転ローラ１１ａに適当な周速度（被洗物１７の送り速度）を与えるようにしてある。この回転ローラ１１ａの支え方、駆動方式は第２回転ローラ１１ｂにおいても全く同様であり、各部品の付番のａの代わりにｂを置き換えて、そのまま説明できる。　また回転ローラ１１ａと１１ｂの間に吸引ベルトユニット５１が設けられ（吸引ベルトユニット５１の構造については後述する）ており、同吸引ベルトユニット５１は被洗物１７を回転ローラ１１ａより受け取り、次の回転ローラ１１に受け渡す。また吸引ベルトユニット５１の上面を走行する吸引ベルト５９ａは、・・・、回転ローラ１１ａの周速度と略同じ速度（厳密には、０．１〜１％高速度）で回動走行する。」（段落【００１２】〜【００１３】）
　　
エ「５３ａ，５３ｂは、各吸引ベルト５１，５２からエアを排気する排気管であり、図示略の吸引用ブロワーにつながれている。」（段落【００１４】）
　　
オ「次に図２〜図４により吸引ベルトユニット５１，５２の構成について説明すると、図２及び図４において、回転ローラ１１ａと回転ローラ１１ｂの間に、上面部に多数のパンチング穴５５ａを有する曲面状のボックスを設置するが、本実施例では半円筒状のボックス５５とする。更にその上面に通気性のある構造（例えば耐熱性、強靱性、防炎性のある芳香族ポリアミド繊維、ステンレス繊維等による編物又は織物組織）又は芳香族ポリアミド樹脂やステンレス製の帯状物で多数のパンチング穴１５９が明けてある吸引ベルト５９ａ（図４にはパンチング穴が明けてある例を示している）を幅方向に亘って複数本走行させる。ボックス５５の下部には多数の軸支え板５５ｃが設けてあり、４本の細長軸５８を支えている。軸支え板５５ｃのガイド部５５ｄが、各吸引ベルト５９ａの隙間から図２の如く発熱体１６ｂと重なる様に突出していて、被洗物１７の先端が回転ローラ１１ｂ側へ導入され易くなっている。また軸支え板５５ｃの間に小ローラ５７が細長軸５８によって回転自在に支えられる。図２において説明したように、吸引ベルト５９ａは駆動プーリー６３ａによって駆動され、小ローラ５７に導かれて半円形状のボックス５５の上面を通り、ここで半円形状のボックス５５から図示略の吸引ブロワーにより吸引した状態で、吸引ベルト５９ａを被洗物１７の送り方向に回転させる。また第１回転ローラ１１ａの出口部と半円形状のボックス５５は、各々を形成する円周がほぼ接するように位置している。図４に半円形状のボックス５５の上面の半円筒部のパンチング穴５５ａの分布状態を示しており、回転ローラ１１ａ側の区分Ａで示した範囲はパンチング穴５５ａは密に分布し、区分Ｂで示した範囲は疎となっている。即ち、吸引ベルト５９ａが区分Ａ上を通過する時は、吸引ベルト５９ａは被洗物１７に対して強い吸引力を発揮して被洗物１７を回転ローラ１１ａの周面より剥ぎ取り、区分Ｂにおいては、被洗物１７を軽く保持する程度の吸引力を呈して、吸引ベルト５９ａと半円形状のボックス５５との摺動摩擦抵抗を減らし、かつ被洗物１７が回転ローラ１１ｂへの受け渡しを容易にする。」（段落【００１５】〜【００１６】）
　　　
カ「次に吸引ベルトユニット５１，５２の作用について説明する。第１回転ローラ１１ａにてアイロン掛けされた被洗物１７は、ここから排出されるとき、半円形状のボックス５５の上面の吸引ベルト５９ａの有するエアの吸引力により、第１回転ローラ１１ａから剥離され、ベルト５９ａによって第２回転ローラ１１ｂへ送られる。」（段落【００１７】）
　　　
キ「【発明の効果】以上詳細に説明した如く本発明では、被洗物であるリネンの受け渡し部に設置された吸引ベルトユニットの半円形状のボックスの吸引穴は、入口側で密に、出口側で疎に、即ち吸引ベルトが回転ローラに接する部分で強い吸引力を持つように分布されているので、被洗物は回転ローラ出口部全面から確実に剥離され、薄い被洗物においても皺やスジが入ることなく、高品質にアイロン仕上げされる。また加熱装置間（回転ローラ間）の受け渡し用吸引ベルトユニット形状は単純な形でよいため、機械コストも安価に製作できる。更に半円形状のボックスの吸引穴は、吸引力が必要な部分には密に、それ以外の部分は疎に分布してあるため、吸引ブロワーの容量負荷を節約できる。」（段落【００１８】）
　　　
　以上の記載及び図面から、甲第１号証には、次の発明が記載されている。「発熱体１６ａ、１６ｂを収納した曲面を有する複数の加熱装置１３と、この加熱装置の曲面に被洗物１７を圧接しながら回転送りする回転ローラ１１ａ、１１ｂとを適宜間隔をあけて複数組設置し、これら加熱装置と回転ローラ間に被洗物を投入し圧接しながら回転送りすることにより該被洗物を乾燥、プレスするロールアイロナーにおいて、
　前記加熱装置１３、１３間に設置され、エアの吸引力により前記回転ローラ１１ａより被洗物を受け取り次の回転ローラ１１ｂに受け渡す吸引ベルト５９ａを有する吸引ベルトユニットを具備するロールアイロナーであって、前記吸引ベルトユニット５１は、上面部に多数のパンチング穴５５ａを有する半円筒状のボックス５５、同ボックスの上面を前記回転ローラ１１ａの周速度と略同じ速度で回動走行する通気性のある吸引ベルト５９ａ、エアを排気する排気管５３ａを具備するロールアイロナー。」（以下「甲１発明」という。）
　　　
ｂ　甲第２号証
　甲第２号証には、図面とともに以下の事項が記載されている。
　　　
ア「複数の回転ローラを有し、洗濯後の被洗物の乾燥及びプレス処理を行なうロールアイロナーにおいて、上記回転ローラの被洗物導入位置に設けられ、被洗物を回転ローラに吸引させる空気吸込み手段と、上記回転ローラの被洗物導出位置に設けられ、被洗物を回転ローラから引き剥がす空気吹出し手段と、被洗物をその両面から加熱し乾燥させる乾燥装置とを具備したことを特徴とするロールアイロナー。」（実用新案登録請求の範囲）
　　　
イ「そして、この回転ローラ１１ａ〜１１ｃの下部に、加熱装置１３が設けられる。この加熱装置１３は、上記回転ローラ１１ａ〜１１ｃと一定の間隔を持つように回転ローラ１１ａ〜１１ｃと一定の間隔を持つように回転ローラ１１ａ〜１１ｃの形状に対応した曲面で構成されるもので、」（第２頁第１２〜１７行）
　　　
ウ「テープを使用せずに被洗物の通過路を規制して被洗物が回転ローラに巻付くことを防止すると共に、被洗物をむらなく加熱し乾燥させることのできるロールアイロナーを提供することを目的とする。
［問題点を解決するための手段及び作用］
　すなわちこの考案は、回転ローラの被洗物導入及び導出位置に空気の吸込み口及び吹出し口を設け、また被洗物をその両面から加熱するように加熱装置を形成することにより、テープを使用せずに被洗物の通過路を規制し、また被洗物の乾燥状態を一様なものとできるようにしたものである。
［考案の実施例］
　以下図面を参照してこの考案の一実施例を説明する。第１図はこの考案のロールアイロナーの構成を示すもので、基本的な構成は第２図のものと同様であるので、同一部分は同一符号を付してその説明は省略する。」（第６頁２〜２０行）
　　　
エ「これら吸引装置３２ａ〜３２ｃは各回転ローラ１１ａ〜１１ｃの内部に固定して設置されるもので、吸引空気の力によって回転ローラ１１ａ〜１１ｃの内部より周面外部にある被洗物１７を吸引して被洗物１７が回転ローラ１１ａ〜１１ｃに巻付かせるようにするものである。これら吸引装置３２ａ〜３２ｃに対応して、各回転ローラ１１ａ〜１１ｃの被洗物導出部分に、空気の吹出し装置３３ａ〜３３ｃを設ける。これら吹出し装置３３ａ〜３３ｃもまた、各回転ローラ１１ａ〜１１ｃの内部に固定して設置されるのもので、回転ローラ１１ａ〜１１ｃの内部より周面外部に吹出す空気の力によって被洗物１７を回転ローラ１１ａ〜１１ｃから引き剥がし、被洗物１７が回転ローラ１１ａ〜１１ｃに巻付かないようにするものである。」（第７頁１１行〜第８頁６行）
　　
オ「吹出し装置３３ａと吸引装置３２ｂ、吹出し装置３３ｂと吸引装置３２ｃはそれぞれ対向して配置されるようになるもので、これらによって被洗物１７は回転ローラ１１ａから回転ローラ１１ｂへ、また回転ローラ１１ｂから回転ローラ１１ｃへと速やかに移動するようになる。」（第８頁第７〜１２行）
　　　
カ「被洗物１７が回転ローラ１１ａの被洗物導入部分に進むと、被洗物１７は上記吸引装置３２ａの吸引力によって回転ローラ１１ａに吸引され、それから回転ローラ１１ａの回転に伴って発熱体１６ａに圧接されながら回転ローラ１１ａの被洗物導出部分に至る。回転ローラ１１ａの被洗物導出部分では吹出し装置３２ａによって空気が回転ローラ１１ａの内部から外部に向かって吹出されているので、被洗物１７は回転ローラ１１ａから引き剥がされる。」（第８頁１６行〜第９頁６行）
　
キ「ここで被洗物１７は、同時に吸引装置１１ｂによって回転ローラ１１ｂに吸引され、回転ローラ１１ｂ（「３２ｂ」の誤記と思われる。）に吸引され、回転ローラ１１ｂの回転に伴って上記発熱体１６ａに圧接された面とは反対の面を発熱体１６ｂに圧接されながら回転ローラ１１ｂの被洗物導出部分に至る。」（第９頁第６〜１１行）
　　　　
　以上の記載及び図面から、甲第２号証には、
「発熱体１６ａ〜１６ｃを収納した曲面を有する加熱装置１３と、この加熱装置の曲面に被洗物１７を圧接しながら回転送りする回転ローラ１１ａを適宜間隔をあけて複数設置し、加熱装置１３と回転ローラ１１ａ〜ｃ間に被洗物１７を投入し圧接しながら回転送りすることにより該被洗物を乾燥、プレスするロールアイロナーにおいて、吸引空気により被洗物１７を回転ローラ１１ａに巻き付かせた被洗物１７を、回転ローラ１１ａ、１１ｂの導出部分において、空気の吹出し装置３３ａ，３３ｂからの吹き出し空気の力によって、被洗物１７を回転ローラ１１ａ，１１ｂから引き剥がすとともに、吸引装置３２ｂ，３２ｃにより、回転ローラ１１ａ、１１ｂ間の被洗物の移動を速やかにすること。」（以下「甲２記載事項」という。）が記載されている。
　　　
ｃ　甲第３号証
　甲第３号証には、図面とともに以下の事項が記載されている。
ア「The present invention concerns the ironing of washing in an ironing machine comprising a suction roller rotating in a trough.」（第１頁左欄第８〜１０行。本発明は、洗濯もののアイロン、溝状部材中で回転する吸引ローラーを含むアイロン器械に関するものである。訳は、当審による。以下同。）
　　　
イ「In order to attain a reliable feeding of the washing at the turning point 13a of the guide surface 13, compressed air is introduced in the direction of the arrow C, by means of  a  tube 23, 」（第２頁左欄第７〜１０行。ガイド面１３の転換点１３ａにおいて、圧縮空気を矢印Ｃ方向に吹き出すことにより、洗濯ものの送り出しを確実なものとする。）
　
　以上の記載及び図面によると、甲第３号証には、
「洗濯ものをアイロン掛けするロールアイロナーにおいて、洗濯ものの送り出しを確実とするために空気を吹き出すこと。」（以下「甲３記載事項」という。）が記載されている。
　　
ｄ　甲第４号証
　甲第４号証には、図面とともに以下の事項が記載されている。
ア「This invention relates to dehydrating machines and is directed more particularly to apparatus for removing dried sheets or films from that type of machine in which the material to be dried is spread in relatively thin film form on a heated rotating drum.」（第１頁左欄第１〜６行。本発明は、乾燥器械、特に、乾燥されたシートを回転加熱ドラムから取り除く機構に関する。）
　　　
イ「Referring particularly to Figures 4 and 5, the cool air duct 49 of the doctor bar 48 is provided with a plurality of air outlet passage 61 which extend entirely across the bar for purposes to be described presently.・・・The passages 61 are positined in the doctor bar 48 at such an angle that the onrushing air from the channel 49 is directed downwardly against the leading face of the doctor blade 50 and toward the cutting edge thereof.」（第３頁左欄第２６〜３７行。特に、図４、５についてみると、ドクターバー４８の空冷ダクト４９は、複数の空気排出流路を、該バー４８の長さ方向に渡って具備するものである。・・・流路６１は、ドクターバー４８に、該ダクト４９から吹き付ける空気が、ドクターブレード５０先端面に向くように、下向きに配置されている。）
　　
ウ「・・・further by the downward movement of the compressed air from beneath the tip portion 64 as indicated by the arrows in Figure 5.」（第４頁左欄第５〜８行。・・・第５図に矢印で示すように、先端部６４の下から、圧縮空気を下方に吹き付ける。）
　　　
エ「From the foregoing , it will also be seen that the film 63 is being effectively dried by the heat of the drum up to the time that it reaches the blade 50 and by the air discharged through passages 61 and simultaneously the surface of the film which lays adjacent the heated surface of the drum during the dehydrating operation is immediated cooled.」（第４頁左欄第１８〜２６行。以上のことから、フィルム６３は、ブレード５０に接し、ブレード５０と、流路６１を通った空気により、その表面から取り除かれるまで、ドラムの熱により効果的に乾燥されていることも理解できる。）
　　　
　以上の記載から、甲第４号証には、
「ドラムにより乾燥され、シート状となったものをドラムから取り除くに当たり、その離端部において、ブレード５０により取り除く際に、ブレードの上部から空冷ダクト４９、流路６１を介して、圧縮空気を吹き付けること。」（以下「甲４記載事項」という。）が記載されている。
　　　
ｅ　甲第５号証
　甲第５号証には、図面とともに以下の事項が記載されている。
　　　
ア「この発明は電子写真複写機におけるシート剥離装置に関する。」（第１頁右下欄第１５〜１６行）
　　　
イ「電子写真複写機においては、転写像の形成された移動体（たとえばドラム状の感光体）に対して給送されたシートが、静電潜像による静電引力あるいは現像液による表面張力などによつて上記移動体の表面に吸着された状態でこの移動体とともに移動するため、シートを次段階の処理装置（たとえば定着装置）に導くためには、このシートを上記移動体より強制的に剥離する、いわゆるシート剥離装置が必要となる。」（第１頁右下欄第１７行〜第２頁左上欄第５行）
　　　
ウ「シート２の移動経路の転写コロトロン３の下流にはトナー像の転写されたシート２を次段階の処理装置に導くためのガイド板４がその端部を感光体周面に対向させて配設されている。」（第２頁右上欄第９〜１２行）
　　　
エ「第（原文略字）１室２０Ａ内の空気が、パイプ２３を通して空気吐出ノズルの吐出口２４ａから吐出される。この吐出空気は、シート吸引部材５が第（原文略字）３図において鎖線ＩＩの位置から鎖線ＩＩＩの位置まで移動することによつて感光体１から剥離されたシート２の先端部と感光体１との間に吹き込まれて、シート２の剥離を促がす（第４図参照）。」（第３頁右上欄第３〜９行）
　　　
オ　第４図の記載からみて、吐出空気は、感光体１の胴面に接する接線方向に吹き込まれているものと理解できる。
　　　
　以上の記載及び図面によると甲第５号証には、
「ドラム状の感光体１からシート２を剥離する装置において、空気吐出ノズル２４から感光体１の円筒形の胴面に接する接線方向に、シート２の先端部と感光体１との間に空気を吐出し、シート２の剥離を促すこと。」（以下「甲５記載事項」という。）が記載されている。
　　　
ｆ　甲第６号証
　甲第６号証には、図面とともに以下の事項が記載されている。
ア「From the mist generator 2 a supply conduit 6 leads to the pipe 7. The pipe 7 is formed as a distributor pipe and possesses corresponding openings 8 」（第２頁第９２〜９５行。霧発生器２から供給管６を通り、パイプ７へ導く。パイプ７には、開口８が設けられ、上方から霧を散布する。）
　　　
イ「As may be seen from Figure 2, the pipe 7 is situated between two adjacent mangle cylinders 9, namely above the trough bridge 13. The opening 8 in the pipe 7 are here so arranged that they are directed on to the mangle cylinders 9 」（第２頁第１０９〜１１３行。図２に示すように、管７は、隣接する２つのしわ伸ばしシリンダー９の間、つまり、架橋部１３の上部に設けられる。管７の開口８は、しわ伸ばしシリンダーに向けて形成される。）
　　　
　これらの記載及び図面から、甲第６号証には、
「２つのしわ伸ばしシリンダ９の間の、架橋部１３上方に、パイプ７を設け、その開口８から霧状物質を散布すること。」（以下「甲６記載事項」という。）が記載されている。
　　
ｇ　甲第７号証
　甲第７号証には、図面とともに以下の事項が記載されている。
　　
ア「My present invention relates to laundry machines, and more particularly to a flat work ironer 」（第１頁第１〜３行。本発明は、洗濯機器。特に、フラットワークアイロンに関する。）
　　　
イ「Figure 1 is a fractional longitudinal section through a flat work ironer embodying my invention, said section being taken substantially along the plane of the line 1-1 of Fig.2　　　 Fig.2 is a partial top plan of the device shown in Fig.1. Fig.3,4 and 5 are enlarged transverse sections of the air discharge means disposed at the rear of the rolls.」（第１頁第８４〜９２行。図１は、本発明のフラットワークアイロンの部分縦断面図で、図２の１−１線に沿った断面を示すものである。図２は、図１に示すものの部分上面図。図３、４、５は、ローラー後部の空気放出手段の拡大横断面を示す。）
　　　
ウ「In the use of these flat work ironers, the article to be ironed, such as a sheet C, is fed in damp condition upon a feed apron D, which may be in the form of an endless belt traveling around a plurality of rolls d from which apron the article is carried onto the steam chest and under the first roll, and after passing thereunder it progressively pasees between the succeeding roll, and the steam chest, in the course of which movement it is dried and ironed.」（第２頁第３〜１２行。このフラットワークアイロンの使用により、シートＣなどのアイロンがけをされるものは、湿った状態で、給装エプロンＤに載せられ、複数のローラーｄに架ける無端ベルトにより、スチーム容器に乗せられ、その上で、順次、各ローラーの間を搬送され、乾燥とアイロンがけがされる。）
　　　
エ「Preferably the air streams which are directed against the rear of the rolls are caused to impinge upon the rolls in a substantially tangential direction, ・・・The air streams impinging upon the rolls function to effect disengagement from the rolls of the articles being ironed thereby,」（第２頁第２１〜２９行。好ましくは、ローラー後部に向けて流される空気流は、実質上、ローラーに、接線方向に当たるように出される。・・・ローラーに吹き当たる気流は、ローラーでアイロンがけされるものを、ローラーから離すように作用する。）
　　　
　以上の記載及び図面から、甲第７号証には、
「フラットワークアイロンであって、湿った状態のシートＣを、複数のローラーｄとスチーム容器との間で、水平方向に、搬送し、乾燥とアイロンがけをするものにおいて、ローラーｄ後部であって、搬送されたシーツＣとローラーｄとの間である接線方向に、空気流を吹き出し、ローラーから離すようにすること。」（以下「甲７記載事項」という。）が記載されている。
　　　
ｈ　甲第８号証
　甲第８号証には、図面とともに以下の事項が記載されている。
　　　
ア「本考案はランドリー機械のスプレッダー等に適用される布片の展開装置、タオル、ダイヤバー等の矩形布の折りたたみ用展開装置、矩形布を広げたまま洗浄処理する装置への展開装置等に利用できるフィーダに関するものである。」（第１頁第１３〜１７行）
　　　
イ「扇状に広がるように配置されたベルトコンベア上を、シーツ又は矩形布等が搬送されるにつれ、このシーツ又は矩形布等の下面はベルトコンベアとの摩擦によって左右に張り広げられる。同時に上部からエア吹付ノズルによってエアを吹付けて、シーツの上面の折れやシワを除去する」（第９頁第１４〜２０行）
　　　
ウ「５２，５３はベルトコンベア５１上において、同ベルトコンベアの進行方向に対し長さ方向が延びるよう配設され、下面に多数の小孔を有する筒状のエア吹付ノズルで、圧縮空気を、ベルトコンベア５１上を進行するシーツ３３に対し、左右又は左前方、右前方に吹付けるものである。５４はシーツのつやを出すロールアイロナーである。
　次に作用を説明すると、・・・、これにより濡れているシーツ３３は移動を停止し、・・・。
　続いてベルトコンベア５１上で、シーツ３３は下面をベルトコンベアのベルトにより、上面はエア吹付ノズル５３より吹付けられる圧縮エアによって左右に張り広げられる。その後シーツ３３は、ベルトコンベア５２を経てロールアイロナー５４へ送り込まれる。」（第１０頁第１９行〜第１２頁第７行）
　
　以上の記載及び図面から、甲第８号証には、
「ランドリー機械のスプレッダー等の布片の展開装置において、ベルトコンベア５１上を搬送される濡れているシーツ３３の上面を、ベルトコンベア５１の進行方向に対して長さ方向に延びるように配設された、下面に多数の小孔を有する筒状のエア吹付ノズル５３で、圧縮空気を左右又は左前方、右前方に吹付け、シーツ３３を左右に張り広げること。」（以下「甲８記載事項」という。）が記載されている。
　　　
ｉ　甲第９号証
　甲第９号証には、図面とともに以下の事項が記載されている。
　　　
ア「本考案は、業務用洗濯装置における洗濯、脱水処理後のシーツ、包布等の布製品（以下シーツと称する）をロール式アイロン仕上機に装入するため、シーツの上縁の両端を保持具で把持して張り拡げ、その張り拡げ完了後後方の送り込みコンベア上にシーツを乗せるようにしたシーツ拡げ機に関するものである。」（第１頁左欄第１７〜２３行）
　　　
イ「また、２はエアーブラスト用のパイプで、シーツの上縁を張り拡げるべき線の僅か下方位置にシーツ拡げ幅とほぼ同じ長さで架装されており、前記の如くしてシーツを張り拡げると、・・・エアーパイプ２の後方にあけられた複数のエアー吹出し孔２ａよりシーツ上縁部８に向つてエアーを吹き出し、これによりシーツを送りこみコンベア１上に乗せることができるように構成されている。
　本考案においては、斜め上方にノズル孔９ａ，９ａ’をあけた短い一対のエアーパイプ９，９’を従来のエアーブラスト用のパイプ２の上部両端部に配設し、・・・従つて、エアーパイプ９，９’の斜め上方にあけられたエアー吹き出し孔９ａ，９ａ’よりシーツの上縁両端隅角部８ａに向つてエアーが吹き出してシーツの上縁両端隅角部８ａを後方へ吹き倒し、同時にエアーブラストパイプ２の後方にあけられたエアー吹き出し孔２ａよりシーツ上縁部８に向つてエアーが吹き出し、そのエアー圧によりシーツ上縁部８およびシーツ上縁両端隅角部８ａが吹き飛ばされて後方の送り込みコンベア１上に到達し、かくしてシーツは上縁の両端隅角部が折曲ることなく送り込みコンベア９上に乗せられてロール式アイロン機械に送給される。」（第２頁左欄第３７行〜同右欄第３３行）
　　　
　以上の記載及び図面から、甲第９号証には、
「コンベア１上にシーツを乗せるようにしたシーツ拡げ機において、エアーブラスト用のパイプ２をシーツの上縁の張り拡げる位置の下方に架装し、該パイプの後方にあけられた複数のエアー吹出し孔２ａよりシーツ上縁部８に向かってエアーを吹き出すとともに、該パイプの上部両端部にエアーパイプ９，９’を配設し、該パイプの斜め上方にあけられたエアー吹き出し孔９ａ，９ａ’よりシーツの上縁両端隅角部８ａに向かってエアーを吹き出し、シーツの上縁の両端隅角部を折曲ることなく送り込み、コンベア１上に乗せてロール式アイロン機械に送給すること。」（以下「甲９記載事項」という。）が記載されている。
　　　
４．対比・判断
（１）本件発明１について
　本件発明１と甲１発明とを対比する。
　甲１発明の「吸引ベルト５９ａ」は本件発明１の「サクションベルト」に相当し、同様に、「吸引ベルト」は「サクションベルト」に、「ロールアイロナー」は、「ロールアイロナ」に、それぞれ相当する。　　　
　そうすると、両者は、
「発熱体を収納した曲面を有する複数の加熱装置と、この加熱装置の曲面に被洗物を圧接しながら回転送りする回転ローラとを適宜間隔をあけて複数組設置し、これら加熱装置と回転ローラ間に被洗物を投入し圧接しながら回転送りすることにより該被洗物を乾燥、プレスするロールアイロナにおいて、　前記加熱装置間に設置され、エアの吸引力により前記回転ローラより被洗物を受け取り次の前記回転ローラに受け渡すサクションベルトを有する吸引ベルトユニットを具備するロールアイロナ。」の点で一致し、次の点で相違する。
　　　
［相違点ａ］
　本件発明１は、各回転ローラからの被洗物受け渡し部の上部に、エアの吹き出しにより被洗物を回転ローラから剥がすエアノズルを設け、該エアノズルは、前記回転ローラから吸引ベルトユニットへの被洗物乗り移り部において前記回転ローラのロール面に接する接線方向に向けてエアを吹き出すように配置しているのに対し、甲１発明は、当該構成を具備しない点。
　　　
　そこで、前記相違点ａについて検討する。
　甲第１号証には、「・・・場合によっては発熱体とロール４２の間に被洗物が挟まれる虞れがあり、被洗物の仕上がり品質の低下が問題となる場合があった。更に吸引部が多いためブロワーの容量が過大であり、また吸引が局部的になり被洗物に皺等の悪い影響を与える欠点があった。本発明は前記従来の欠点を解消しようとするもので、薄い被洗物であっても皺やスジが入ることはなく、製作コストも安く、かつ吸引ブロワーの容量負担を節約できるロールアイロナーを提供しようとするものである。」（前記摘記事項「３．ａイ」参照。）とある。したがって、甲１発明は、薄い被洗物を仕上げるに際し、吸引等に起因して、被洗物に皺やスジが入ることがないように仕上げることを課題とするものであるといえる。
　
　そして、ロールアイロナーにおいて、空気を吹き出すことにより、回転ローラに被洗物が巻きつかないように該ローラから被洗物を引き剥がしたり、洗濯ものの送り出しを確実にしたりすることは、従来、良く知られた技術である（「甲２記載事項」においては、吸引のみならず、空気の吹き出しを行うことが示され、「甲３記載事項」においては、回転ローラ外部のノズルによる吹き出しを行うことが示されている。）。
　　　
　また、シート状のものを回転体から剥離するように空気を吹き付ける際、回転体のロール面に接する接線方向に向けて空気を吹き出すことは、従来、一般に良く知られた技術事項である（例えば、甲５記載事項、甲４記載事項、甲７記載事項参照。）。
　
　そうすると、甲１発明における課題を、より良く解決するため、ローラから吸引力により受け渡しをする際、被洗物に皺やスジが入ることがないよう、本件発明１のように、各回転ローラからの被洗物受け渡し部の上部に、エアの吹き出しにより被洗物を前記回転ローラから剥がすエアノズルを設け、前記エアノズルは、前記回転ローラから吸引ベルトユニットへの被洗物乗り移り部において前記回転ローラのロール面に接する接線方向に向けてエアを吹き出すように配置した点は、甲２〜５記載事項のような周知の技術に基づいて、当業者が容易に想到し得たことである。
　　
　この点について、被請求人は、１）甲第２号証は、本件特許発明の動機付けについて明確な根拠が示されていない。甲第２号証の吹き出し装置３３ａ〜ｃは、被洗物を「浮き上がらせる」ものであり、本件発明の「引き剥がし」とは異なる（答弁書第２頁第２７行〜第３頁第４行、第８頁第８〜２７行）。吹き出し装置の配置が異なる（第１回口頭審理陳述要領書、以下「被請求人陳述要領書」という。第３頁第２５〜３０行）、２）甲第３号証は、本件発明の動機付けについて明確な根拠がない、被洗物の行き先が、本件発明１とは逆であり異なる（答弁書第３頁第５〜１４行、第８頁第２８行〜第９頁第８行、被請求人陳述要領書第３頁第３１行〜第４頁第５行）、３）甲第４号証は、動機付けについて、明確な記載はなく、エアノズルは記載されていないし、剥離するものではない（答弁書第３頁第１５〜２４行、第４頁第９〜２７行。被請求人陳述要領書第４頁第６〜９行）、４）甲第５号証は、技術分野が異なり、動機付けがない（答弁書第３頁第２５行〜第６頁第２９行、被請求人陳述要領書第２頁第２〜９行）旨の主張をしている。
　　　
　そこで、これらの点について検討する。
１）甲２号証記載のものは、回転ローラに被洗物が巻付くことを防止することを目的とするものでもある（前記「３．ｂイ」参照。）。回転ローラに被洗物が巻付けば、皺、スジ等の原因ともなるのであるから、甲２記載のものに、動機付けがないとはいえない。
　また、吹き出し装置の配置が本件発明１と異なるものではあるが、回転ローラから被洗物を離すように作用する点で、共通するものであり、「引き剥がす」ことと「浮き上がらせる」ことと、格別の差違があるとは認められない。
２）甲第３号証記載のものは、洗濯ものの送り出しを確実なものとするものである（前記「３．ｃイ」参照。）。そして、空気を洗濯ものに吹きかければ、当然に皺等の発生が抑制されるものと考えられるから、動機付けがないとはいえない。また、洗濯もの、すなわち被洗物をベルト上に乗せて、回転ローラへと搬送する前段階で空気を吹き付け、確実な送り出しを行うものではある点では、共通するものである。
３）甲第４号証記載のものは、確かに、ブレード５０によりシート状のものを取り除くものであり、シート状のものを剥離するという動機が、明らかではないが、空気ダクト４９、空気流路６１を通過した圧縮空気が、冷却を行う他、剥離動作に寄与することも否定できない。
４）甲第５号証記載のものは、確かに、被洗物に関するものではないが、シート状のものをドラム状の回転体から引き剥がす必要のあるもの（前記「３．ｅイ」参照。）という点では、共通するものである。
　そして、上記したように、甲１発明は、受け渡しを良くしようとするものであるから、より良くしようとして、一般的な技術として、甲第５号証記載のものを引用することができないとはいえない。
　したがって、被請求人の主張は、いずれも理由がないので、採用できない。
　　　
　そして、このような構成を採用したことによる効果についてみても、甲１発明、甲２〜５記載事項のような周知の技術から、当業者が予測し得たことである、
　　　
　以上のとおりであるから、本件発明１は、甲１発明、甲２〜５記載事項のような周知の技術から、当業者が容易に発明をすることができたものである。
　　　
（２）本件発明２について
　本件発明２と甲１発明とを対比する。
　甲１発明の「吸引ベルト５９ａ」は本件発明２の「サクションベルト」に相当し、同様に、「吸引ベルト」は「サクションベルト」に、「ロールアイロナー」は、「ロールアイロナ」に、それぞれ相当する。　　　
　そうすると、両者は、
「発熱体を収納した曲面を有する複数の加熱装置と、この加熱装置の曲面に被洗物を圧接しながら回転送りする回転ローラとを適宜間隔をあけて複数組設置し、これら加熱装置と回転ローラ間に被洗物を投入し圧接しながら回転送りすることにより該被洗物を乾燥、プレスするロールアイロナにおいて、　前記加熱装置間に設置され、エアの吸引力により前記回転ローラより被洗物を受け取り次の前記回転ローラに受け渡すサクションベルトを有する吸引ユニットを具備するロールアイロナ。」の点で一致し、次の点で相違する。　　　
［相違点ｂ］
　本件発明２は、各回転ローラからの被洗物受け渡し部の上部に、エアの吹き出しにより被洗物を前記回転ローラから剥がすエアノズルを設け、前記エアノズルは、前記回転ローラから吸引ベルトユニットへの被洗物乗り移り部において前記回転ローラのロール面に上方から下方に向けてエアを吹き出すように配置しているのに対し、甲１発明は、当該構成を具備しない点。
　　　
　そこで、前記相違点ｂについて検討する。
　甲第１号証には、「・・・場合によっては発熱体とロール４２の間に被洗物が挟まれる虞れがあり、被洗物の仕上がり品質の低下が問題となる場合があった。更に吸引部が多いためブロワーの容量が過大であり、また吸引が局部的になり被洗物に皺等の悪い影響を与える欠点があった。本発明は前記従来の欠点を解消しようとするもので、薄い被洗物であっても皺やスジが入ることはなく、製作コストも安く、かつ吸引ブロワーの容量負担を節約できるロールアイロナーを提供しようとするものである。」（前記摘記事項「３．ａイ」参照。）とあるように、薄い被洗物を仕上げるに際し、吸引等に起因して、被洗物に皺やスジが入ることがないように仕上げることを課題とするものである。
　してみると、甲１発明は、当然に前記課題を具備するものといえる。
　
　そして、ロールアイロナーにおいて、空気を吹き出すことにより、回転ローラに被洗物が巻きつかないように該ローラから被洗物を引き剥がしたり、洗濯ものの送り出しを確実にしたりすることは、従来、良く知られた技術である（「甲２記載事項」においては、吸引のみならず、空気の吹き出しを行うことが示され、「甲３記載事項」においては、回転ローラ外部のノズルによる吹き出しを行うことが示されている。）。　　
　　
　また、シート状のものを回転体から剥がすに際し、回転体とシート状のものとを剥がしたい部位に向けて空気を吹き出すことも、従来、良く知られた技術である（例えば、甲５記載事項、甲４記載事項、甲７記載事項参照。）。
　　　
　そして、甲１発明において、回転ローラより被洗物を受け取り次の回転ローラに受け渡すに際し、回転ローラと吸引ベルトユニットとの隣接部に空気を吹き出すようにすること、すなわち、回転ローラと吸引ベルトユニットの上方から吹き出すことが、被洗物を剥がすのに有効な部位であることは、当業者には明らかなことである。
　
　そうすると、甲１発明において、被洗物に皺やスジが入ることがないように、本件発明２のように、各回転ローラからの被洗物受け渡し部の上部に、エアの吹き出しにより被洗物を回転ローラから剥がすエアノズルを設け、該エアノズルは、回転ローラから吸引ベルトユニットへの被洗物乗り移り部において前記回転ローラのロール面に上方から下方に向けてエアを吹き出すように配置することは、甲２〜５記載事項のように周知の技術に基づいて、当業者が容易に想到し得たことである。
　　　
　この点について、被請求人は、１）甲第２号証は、甲第２号証の吹き出し装置３３ａ〜ｃは、被洗物を「浮き上がらせる」ものであり、本件発明の「引き剥がし」とは異なる（答弁書第１２頁第１４行〜第１３頁第３行）。吹き出し装置の配置が異なる（被請求人陳述要領書第３頁第２５〜３０行）、２）甲第３号証は、被洗物の行き先が、本件発明２とは逆であり異なる（答弁書第１３頁第４〜１４行、被請求人陳述要領書第３頁第３１行〜第４頁第５行）、３）甲第４号証では、エアは、冷却するものであるから、被洗物に向けてエアを吹き出すエアノズルは記載されていないし、剥離対象が異なる（答弁書第１３頁第１５行〜第１４頁第２行。被請求人陳述要領書第４頁第６〜９行）、４）甲第５号証は、技術分野が異なり、動機付けがないし、作用において異なる（答弁書第３頁第２５行〜第６頁第２９行、被請求人陳述要領書第２頁第２４〜３０行）旨の主張をしている。
　　　
　そこで、これらの点について検討する。
１）甲第２号証記載のものにおいて、吹き出し装置の配置が本件発明２と異なるものではあるが、回転ローラから被洗物を離すように作用する点で、共通するものであり、「引き剥がす」ことと「浮き上がらせる」ことと、格別の差違があるとは認められない。
２）甲第３号証記載のものにおいても、洗濯もの、すなわち被洗物をベルト上に乗せて、回転ローラへと搬送する前段階で空気を吹き付け、確実な送り出しを行うものではある点では、共通するものである。
３）甲第４号証記載のものにおいて、空気ダクト４９、空気流路６１を通過した圧縮空気が、冷却を行う他、剥離動作に寄与することは、否定できない。
４）甲第５号証記載のものは、被洗物に関するものではないが、シート状のものであって、ドラム状の回転体から引き剥がす必要のあるもの（前記「３．ｅイ」参照。）という点では、共通するものである。そして、上記したように、甲１発明は、受け渡しを良くしようとするものであるから、より良くしようとして、一般的な技術として、甲第５号証記載のものを引用することができないとはいえない。
　したがって、被請求人の主張は、いずれも理由がないので、採用できない。
　　　
　そして、このような構成を採用したことによる効果についてみても、甲１発明、甲２〜５記載事項のような周知の技術から、当業者が予測し得たことである。
　　　
　以上のとおりであるから、本件発明２は、甲１発明、甲２〜５記載事項のような周知の技術から、当業者が容易に発明をすることができたものである。
　　　
（３）本件発明３について
　本件発明３は、本件発明１又は本件発明２に、「エアノズルから吹き出されるエアを前記回転ローラと当該回転ローラ上の被洗物との間へと導く導風板を有する」との限定を付加したものである。
　　　
　そこで、本件発明３と甲１発明とを対比すると、「（１）本件発明１について」で検討した相違点ａ加えて、甲１発明が、「エアノズルから吹き出されるエアを前記回転ローラと当該回転ローラ上の被洗物との間へと導く導風板を有する」との構成を具備しない点（以下「相違点ｃ」という。）で、両者は、相違している。
　　　
　そこで、前記相違点ｃについて検討する。
　風を目的とする部位に吹き付けるために、板状部材を利用して、風に方向性を持たせることは、従来、一般的に行われていることである（例えば、請求人が審判請求書において示した特開平６−９８９８８号公報、特開平７−２２１４７７号公報参照。）。
　　
　そうすると、甲１発明に、甲２〜５記載事項のような周知の技術を適用してエアノズルからエアを吹き出すようにするに際し、エアノズルから吹き出されるエアを回転ローラと当該回転ローラ上の被洗物との間へと導く導風板を有するものとする程度のことは、当業者であれば、必要に応じて、容易に想到できたことである。
　そして、相違点ａについては、「（１）本件発明１について」における検討と同様である。
　　
　さらに、本件発明３の奏する効果を全体としてみても、甲１発明及び周知の技術から当業者が予測できる程度のものである。
　　　
　したがって、本件発明３は、「（１）本件発明１について」において検討したのと同様、甲１発明及び周知の技術に基づいて当業者が、容易に発明をすることができたものである。
　　　
（４）本件発明４について
　本件発明４は、本件発明１又は本件発明２に、「前記吸引ベルトユニットは、上面部に多数の小孔を形成したサクションボックス、同サクションボックス上面を前記回転ローラの周速と略同速度で走行する多孔サクションベルト、サクションボックス内の空気を排気する排気手段とを具備する」との限定を付加したものである。
　
　そこで、本件発明４と甲１発明とを対比すると、甲１発明の「吸引ベルト５９ａ」は本件発明１の「サクションベルト」に相当し、同様に、「吸引ベルトユニット」は「サクションベルトユニット」に、「ロールアイロナー」は、「ロールアイロナ」に、「パンチング穴５５ａ」は「小孔」に、「ボックス５５」は「サクションボックス」に、「略同じ速度で回動走行する通気性のある吸引ベルト」は「略同速度で走行する多孔サクションベルト」に、「エアを排気する排気管５３ａ」は「サクションボックス内の空気を排気する排気手段」に、それぞれ相当する。
　　　
　そうすると、両者は、
　「発熱体を収納した曲面を有する複数の加熱装置と、この加熱装置の曲面に被洗物を圧接しながら回転送りする回転ローラとを適宜間隔をあけて複数組設置し、これら加熱装置と回転ローラ間に被洗物を投入し圧接しながら回転送りすることにより該被洗物を乾燥、プレスするロールアイロナにおいて、前記加熱装置間に設置され、エアの吸引力により前記回転ローラより被洗物を受け取り次ぎの回転ローラに受け渡すサクションベルトユニットを具備するロールアイロナであって、前記吸引ベルトユニットは、上面部に多数の小孔を形成したサクションボックス、同サクションボックス上面を前記回転ローラの周速と略同速度で走行する多孔サクションベルト、サクションボックス内の空気を排気する排気手段とを具備するロールアイロナ。」の点で一致し、次の点で相違する。
　
［相違点ｄ］
　本件発明４は、各回転ローラからの被洗物受け渡し部の上部に、エアの吹き出しにより被洗物を回転ローラから剥がすエアノズルを設け、該エアノズルは、回転ローラから吸引ベルトユニットへの被洗物乗り移り部において回転ローラのロール面に接する接線方向に向けてエアを吹き出すように配置しているのに対し、甲１発明は、当該構成を具備しない点。
　　　
　前記相違点ｄは、本件発明１と甲１発明との相違点ａと同じである。
　前記相違点ａについては、「（１）本件発明１について」において検討したとおり、甲２〜５記載事項のような周知の技術から、当業者が容易に想到することができたものである。
　
　そして、相違点ｄについて検討しても、相違点ａについて検討したのと同様、甲２〜５記載事項のような周知の技術から、当業者が容易に想到することができたものである。
　　
　してみると、本件発明４は、本件発明１と同様、甲１発明、甲２〜５記載事項のような周知の技術から、当業者が容易に発明をすることができたものである。
　　　
（５）本件発明５について
　本件発明５は、本件発明４に、「更に、サクションベルト上の被洗物送り方向に斜めにエアを吹き出すエアノズルを具備する」との限定を付加したものである。
　　　
　したがって、本件発明５と甲１発明とを対比すると、前記相違点ｄに加えて、次の相違点を有するものである。
　　　
［相違点ｅ］
　本件発明５は、「サクションベルト上の被洗物送り方向に斜めにエアを吹き出すエアノズルを具備する」のに対し、甲１発明は、当該構成を具備しない点。
　　　
　そこで、上記相違点ｅについて検討する。
  本件発明５と甲８記載事項とを対比する。
　甲８記載事項の「濡れているシーツ」は本件発明５の「被洗物」に相当し、以下同様に、「エア吹付ノズル」は「エアノズル」に、「左前方、右前方」は「被洗物送り方向斜め」に、それぞれ、相当する。
　　　
　そうすると、甲８記載事項は、
「ランドリー機械のスプレッダー等の布片の展開装置において、ベルトコンベア５１上を搬送される被洗物の上面を、ベルトコンベア５１の進行方向に対して長さ方向に延びるように配設された、下面に多数の小孔を有する筒状のエアノズルで、圧縮空気を被洗物送り方向斜めに吹付け、被洗物を左右に張り拡げること。」と言い換えることができる。
　　　
　前記のとおり、甲１号証記載のものは、被洗物の皺やスジが入ることがないようにすることも課題とするものであり、甲１発明は、当然、当該課題の解決を目的とするものである。
　　　
　そうすると、甲１発明におけるサクションベルトに、甲８記載事項の技術を適用し、被洗物送り方向に斜めにエアを吹き出すエアノズルを具備するものとすることは、当業者であれば、容易に想到することができたものである。
　　
　この点につき、被請求人は、甲８号証に、根拠が示されていないし、技術分野が相違する（答弁書第７頁第１４〜２４行、第１７頁第７〜１３行）、エアの吹き出し方向は搬送方向とは直角方向であるので、皺を取り除けない（被請求人陳述容量書第第４頁第１９行〜第５頁第１行）旨の主張をしている。
　　　
　そこで、この点について検討すると、前記のとおり、甲第８号証には、「圧縮空気を・・・左前方、右前方に吹付け」との明記があり、このことは、「搬送送り方向斜めにエアを吹き出す」ことと同義であることは明らかである。
　　　
　また、甲第８号証記載のものは、ロールアイロナーへと搬送される被洗物を対象とするものであるから、技術分野は、同じであることも明らかである。
　　
　してみると、被請求人の前記主張は、採用できない。
　
　そして、相違点ｄについては、「（４）本件発明４について」で示したと同様、甲２〜５記載事項のような周知の技術から、当業者が容易に想到することができたものである。
　
　そして、本件発明５の奏する効果を全体としてみても、甲１発明、甲２〜５記載事項などの周知技術、甲８記載事項から、当業者が予測できるものである。
　　　
　したがって、本件発明５は、甲１発明、甲２〜５記載事項などの周知技術、及び甲８記載事項から、当業者が、容易に発明をすることができたものである。
　　　
５．むすび
　以上のとおり、本件発明１〜本件発明５は、甲１発明、甲２〜５記載事項、甲８記載事項に基づいて、当業者が容易に発明をすることができたものである
　　
　したがって、本件発明１〜５の特許は、特許法第２９条第２項の規定に違反してなされたものであり、同法第１２３条第１項第２号に該当する。
　審判に関する費用については、特許法第１６９条第２項の規定で準用する民事訴訟法第６１条の規定により、被請求人が負担すべきものである。
　　
　よって、結論のとおり審決する。